(57)【特許請求の範囲】
【請求項１】
本体部の前部に上刃と下刃を備えた刃部を突出して該刃部により枝葉を切断するようにした庭木バリカンにおいて、刃部の上方に隙間を介して上刃と下刃を備えた刃部のほぼ全体を覆うためのカバーを設けるものであって、本体部の外殻を構成するハウジングの前部にカバーの後端部をはめ込むための嵌め込み凹部を設けると共に該嵌め込み凹部に係合部を設け、刃部は、下押え板とレール部材との間に上刃と下刃を往復移動自在に介装して構成すると共に、前記レール部材の前端部の両側部に係止部を設け、カバーは、下面部の中央部に下方に向けて一対の脚片を垂設すると共に、該両脚片の下端部に前記係止部が着脱自在に係止される被係止部を設け、カバーの後部に嵌め込み部を設けると共に該嵌め込み部に前記係合部が着脱自在に係合する被係合部を設けて成ることを特徴とする庭木バリカン。
【請求項２】
庭木バリカンに対してカバーを着脱自在に取付けて成ることを特徴とする請求項１記載の庭木バリカン。
【請求項３】
カバーを透明又は半透明として成ることを特徴とする請求項１記載の庭木バリカン。
【請求項４】
カバーの側部に刃部の少なくとも１箇所の刃を露出させるための切欠部を設けて成ることを特徴とする請求項１記載の庭木バリカン。
【発明の詳細な説明】
【０００１】
【発明の属する技術分野】
本発明は、庭木、生け垣などの枝葉を切断するために使用する庭木バリカンに関するものである。
【０００２】
【従来の技術】
従来の電動式の庭木バリカン１は図８に示すようなもので、駆動部を有する本体部７の前部にバリカンよりなる刃部２を設け、本体部７の後部に把手部３０を設け、本体部７の刃部２の突出基部より少し手前の部分に補助把手部３１を設けたものである。使用に当たっては、把手部３０を片手で掴むとともに補助把手部３１を他の片手で掴んで刃部２により庭木、生け垣などの枝葉を切断するようになっている。また、従来にあっては、切断した枝葉が把手部３０や補助把手部３１を掴んでいる手の方に飛散するのを防止するために、本体部７の刃部２の突出基部より少し手前で且つ補助把手部３１よりも少し前部に斜め上方に向けて保護カバー３２を設けている。
【０００３】
しかしながら、従来の保護カバー３２は手で掴んでいる部分への枝葉の飛散を防止するだけのものでしかなく、例えば、庭木バリカン１を刃部２の前端が上を向くように上に持ち上げて使用する場合、作業者に切断した枝葉が飛散するのを防ぐことができないという問題があり、また、従来の保護カバーは図８からも明らかなように刃部２の上方を覆うものではなく、したがって刃部２がむきだしのままの状態であり、むきだし状態の刃部２で切断する際の刃の動作が目に見えて、女性には怖いという恐怖感が生じ、従来の庭木バリカン１は女性にとって使用しにくいという問題があった。
【０００４】
【発明が解決しようとする課題】
本発明は上記の点に鑑みてなされたものであり、上向きで使用しても切断した枝葉が作業者の方に飛散するのを防止でき、また、切断時の恐怖感を無くして女性でも安心感を持って使用でき、また、カバーするといえども枝葉の切断が簡単且つ綺麗にでき、また、簡単に刈り高さを揃えることができ、また、長く伸びすぎた枝葉の切断にも簡単に対応でき、更に、部分的に一部が伸びている枝葉があっても簡単に切断することができる庭木バリカンを提供することを課題とするものである。
【０００５】
【課題を解決するための手段】
上記課題を解決するために本発明は、本体部７の前部に上刃１６と下刃１４を備えた刃部２を突出して該刃部２により枝葉を切断するようにした庭木バリカン１において、刃部２の上方に隙間３を介して上刃１６と下刃１４を備えた刃部２のほぼ全体を覆うためのカバー４を設けるものであって、本体部７の外殻を構成するハウジング９の前部にカバー４の後端部をはめ込むための嵌め込み凹部１８を設けると共に該嵌め込み凹部１８に係合部１９を設け、刃部２は、下押え板２６とレール部材１５との間に上刃１６と下刃１４を往復移動自在に介装して構成すると共に、前記レール部材１５の前端部の両側部に係止部２０を設け、カバー４は、下面部の中央部に下方に向けて一対の脚片２１を垂設すると共に、該両脚片２１の下端部に前記係止部２０が着脱自在に係止される被係止部２２を設け、カバー４の後部に嵌め込み部２３を設けると共に該嵌め込み部２３に前記係合部１９が着脱自在に係合する被係合部２４を設けて成ることを特徴とするものである。このような構成とすることで、上刃１６と下刃１４を備えた刃部２の上方に隙間３を介して上刃１６と下刃１４を備えた刃部２のほぼ全体を覆うように配置しされたカバー４により庭木バリカン１を上方に向けた場合でも切断した枝葉が作業者の方に飛散しないようにできるものである。また、上刃１６と下刃１４を備えた刃部２のほぼ全体をカバー４により覆うことで切断時の恐怖感を緩和することができることになる。また、上刃１６と下刃１４を備えた刃部２の上方に隙間３を介して上刃１６と下刃１４を備えた刃部２のほぼ全体を覆うカバー４を配置することで、隙間３を介して配置したカバー４を切断する際の高さを揃える目安とすることができるものである。また、刃部２の上方に隙間３を介して上刃１６と下刃１４を備えた刃部２のほぼ全体を覆うカバー４を配置することで、切断したくない長い枝を誤って切断しないようにできて、長い枝から出ている短い枝葉のみを効果的に切断することが可能となるものである。また、係合部１９と被係合部２４との係合によりカバー４が庭木バリカン１に対して前後方向に移動しないようにし、また、係止部２０と被係止部２２との係止によりカバー４が庭木バリカン１に対して上下左右方向に移動しないようにするものである。
【０００６】
また、庭木バリカン１に対してカバー４を着脱自在に取付けることが好ましい。このような構成とすることで、長く伸びすぎた枝葉を切断する際にカバー４が邪魔になる場合にはカバー４を庭木バリカン１から外すことで対応できるものである。
【０００７】
また、カバー４を透明又は半透明とすることが好ましい。このような構成とすることで、カバー４を通して刃部２への枝葉の進入が見えて綺麗な揃え刈りが可能となる。
【０００８】
また、カバー４の側部に刃部２の少なくとも１箇所の刃５を露出させるための切欠部６を設けることが好ましい。このような構成とすることで、時々長く伸びている枝葉があってもカバー４を取り外すことなく長く伸びている枝葉を切欠部６に導入して切断することができるものである。
【０００９】
【発明の実施の形態】
以下、本発明を添付図面に示す実施形態に基づいて説明する。
【００１０】
庭木バリカン１は本体部７の前部に刃部２を突出して設けることで構成してある。本体部７はハウジング９内に駆動部１０を内装し、ハウジング９の後部に従来と同様に把手部３０を設けてある。また、必要に応じてハウジング９の前部に従来と同様に補助把手部を設けてもよい。駆動部１０はモータ１１と、モータ１１の回転を減速するための減速ブロック１２と、減速ブロック１２を通して回転して回転運動を往復運動に変換するための偏芯カム１３とにより構成してある。
【００１１】
刃部２は下押え板２６とレール部材１５との間に上刃１６と下刃１４を往復移動自在に介装して構成してあり、偏芯カム１３の上部が上刃１６の後部の孔１７に嵌め込んであり、偏芯カム１３の下部が下刃１４の後部の孔２７に嵌め込んであり、偏芯カム１３により上刃１６と下刃１４を互いに逆方向に往復運動させるようになっている。上刃１６と下刃１４には両端部にそれぞれ多数の刃５が形成してあり、上刃１６と下刃１４の刃５部分に入った枝葉は上刃１６と下刃１４が互いに往復移動することで刃５により切断されるようになっている。
【００１２】
本体部７の外殻を構成するハウジング９の前部にはカバー４の後端部をはめ込むための嵌め込み凹部１８が設けてあり、嵌め込み凹部１８には係合部１９が設けてある。また、刃部２の上面部に設けたレール部材１５の前端部の両側部には係止部２０が設けてある。
【００１３】
刃部２の上方にはカバー４が着脱自在に配置される。このカバー４は図５に示すように下面部の中央部に下方に向けて一対の脚片２１を垂設してあり、この両脚片２１の下端部に被係止部２２が設けてある。カバー４の後部には図５に示すように嵌め込み部２３が設けてあり、嵌め込み部２３には被係合部２４が設けてある。また、嵌め込み部２３の前上部には摘み部２５が設けてある。
【００１４】
カバー４を刃部２の上方に隙間３を介して刃部２を覆うように庭木バリカン１に着脱自在に取付けるには、本体部７の前部の嵌め込み凹部１８にカバー４の後部の嵌め込み部２３を嵌め込んで被係合部２４を係合部１９に着脱自在に係合させるとともに、カバー４の前端部に設けた被係止部２２をレール部材１５に設けた係止部２０に着脱自在に係止させることで取付けるものである。ここで、係合部１９と被係合部２４との係合によりカバー４が庭木バリカン１に対して前後方向に移動しないようにし、また、係止部２０と被係止部２２との係止によりカバー４が庭木バリカン１に対して上下左右方向に移動しないようにするものである。上記係合部１９と被係合部２４との着脱、係止部２０と被係止部２２との着脱はいずれもクリック感を持って行えるような構造となっていて、取付けた場合に確実に取付けたことがクリック感により確認できるものである。カバー４の取り外しに当たってはカバー４に設けた摘み部２５を持って行うことで手が刃部２に近づかないようにして安全に取り外し作業ができるようになっている。
【００１５】
上記のようにしてカバー４を刃部２の上方に隙間３を介して位置するように取付けた場合、平面視において図２に示すようにカバー４により刃部２のほぼ全体を覆うようになっている（図２においては刃部２の最前端の刃５のみごく一部がカバー４よりも突出しているが他の部分は全体が覆われている）。ここで、カバー４は透明又は半透明であって、カバー４で刃部２の上方を覆ったにもかかわらずカバー４を通して刃部２への枝葉の進入が見えるようになっている。
【００１６】
また、カバー４の上面部と刃部２との間に形成される隙間３の寸法Ｌは刃部２により枝葉を切断するのに支障がない程度の寸法とするものであり、使用目的（対象作業）により上記寸法Ｌの長さの異なるカバー４を選択して使用することで使い勝手を改善することができるようになっている。
【００１７】
しかして、使用に当たっては、庭木バリカン１に上記のようにして刃部２の上方に隙間３を介してカバー４を取付けることで刃部２を覆った状態で庭木や生け垣の剪定を行うものである。作業に当たり庭木バリカン１を上方に向けて使用した場合でも、カバー４により刃部２を覆ってあるので、切断した枝葉が作業者の方に飛散しないようにできるものである。また、刃部２をカバー４により覆うことで切断時の恐怖感を緩和することができることになって女性でも安心感を持って作業することができるものである。
【００１８】
また、刃部２の上方に隙間３を介してカバー４を配置してあるので、隙間３を介して配置したカバー４が切断する際の高さを揃える目安となり、容易に刈り高さを揃えることができるものである。また、庭木や生け垣の剪定は通常幹となる長い枝は残し、幹となる長い枝から分岐した短い枝葉を切断することで行うものであるが、この場合、カバー４を取付けた状態では上記のようにカバー４を高さを揃える目安として短い枝葉の剪定作業ができるものであり、この場合、幹となる切断したくない長い枝は刃部２の上方に隙間３を介して配置されたカバー４に邪魔されて刃部２で切断されるのが防止されることになり、この結果、幹となる長い枝から分岐した短い枝葉のみを高さを揃えて切断することができるものである。
【００１９】
また、長く伸びすぎた枝葉を刈り込む時には庭木バリカン１からカバー４を外して使用するものである。このように、庭木の状態に合わせてカバー４を付けた使用形態、カバー４を外した使用形態というように多様な使い方ができるようになっている。
【００２０】
次に本発明の他の実施形態につき図７に基づいて説明する。本実施形態においては、カバー４の側部に刃部２の少なくとも１箇所の刃５を露出させるための切欠部６を設けてある。本実施形態においては、切欠部６を設けてあるので、短い枝葉を剪定しているとき複数本だけ長く伸びている枝葉があってもカバー４を取り外すことなく長く伸びている枝葉を切欠部６に導入して切断して剪定を継続することができるものである。
【００２１】
【発明の効果】
上記のように本発明の請求項１記載の発明にあっては、本体部の前部に上刃と下刃を備えた刃部を突出して該刃部により枝葉を切断するようにした庭木バリカンにおいて、刃部の上方に隙間を介して上刃と下刃を備えた刃部のほぼ全体を覆うためのカバーを設けるものであって、本体部の外殻を構成するハウジングの前部にカバーの後端部をはめ込むための嵌め込み凹部を設けると共に該嵌め込み凹部に係合部を設け、刃部は、下押え板とレール部材との間に上刃と下刃を往復移動自在に介装して構成すると共に、前記レール部材の前端部の両側部に係止部を設け、カバーは、下面部の中央部に下方に向けて一対の脚片を垂設すると共に、該両脚片の下端部に前記係止部が着脱自在に係止される被係止部を設け、カバーの後部に嵌め込み部を設けると共に該嵌め込み部に前記係合部が着脱自在に係合する被係合部を設けてあるので、庭木バリカンを上方に向けた場合でもカバーにより切断した枝葉が作業者の方に飛散しないようにできて作業性が向上するものであり、また、上刃と下刃を備えた刃部のほぼ全体をカバーにより覆うので切断時の恐怖感を緩和することができて女性の作業者でも安心感を持って作業ができるものであり、また、隙間を介して配置した上刃と下刃を備えた刃部のほぼ全体を覆うカバーを切断する際の高さを揃える目安として利用できて、簡単に揃え刈りができるものであり、また、上刃と下刃を備えた刃部の上方に隙間を介して上刃と下刃を備えた刃部のほぼ全体を覆うカバーを配置するので、切断したくない長い枝を誤って切断しないようにできて、長い枝から出ている短い枝葉のみを効果的に切断することが可能となり、切断したい短い枝葉のみ確実に剪定できるものである。また、係合部と被係合部との係合によりカバーが庭木バリカンに対して前後方向に移動しないようにし、また、係止部と被係止部との係止によりカバーが庭木バリカンに対して上下左右方向に移動しないようにするものである。
【００２２】
また、請求項２記載の発明にあっては、上記請求項１記載の発明の効果に加えて、庭木バリカンに対してカバーを着脱自在に取付けてあるので、長く伸びすぎた枝葉を切断する際にカバーが邪魔になる場合にはカバーを庭木バリカンから外すことで対応できて、長い枝葉の切断も容易に行えるものである。
【００２３】
また、請求項３記載の発明にあっては、上記請求項１記載の発明の効果に加えて、カバーを透明又は半透明としてあるので、カバーを通して刃部への枝葉の進入が見えて綺麗な揃え刈りが可能となるものである。
【００２４】
また、請求項４記載の発明にあっては、上記請求項１記載の発明の効果に加えて、カバーの側面部に刃部の少なくとも１箇所の刃を露出させるための切欠部を設けてあるので、時々長く伸びている枝葉があってもカバーを取り外すことなく長く伸びている枝葉を切欠部に導入して切断することができ、剪定作業の作業性が向上するものである。
【図面の簡単な説明】
【図１】本発明の一実施形態の一部省略した断面図である。
【図２】同上の一部省略した平面図である。
【図３】同上のカバーの刃部への取付け部分を示す断面図である。
【図４】同上のカバーの本体部への取付け部分を示す断面図である。
【図５】同上に用いるカバーを示し、（ａ）は側面図であり、（ｂ）は平面図であり、（ｃ）は（ｂ）のＸ−Ｘ線の断面図である。
【図６】同上に用いる刃部を示し、（ａ）は平面図であり、（ｂ）は正面図である。
【図７】本発明の他の実施形態の一部省略した平面図である。
【図８】従来例の側面図である。
【符号の説明】
１  庭木バリカン
２  刃部
３  隙間
４  カバー
５  刃
６  切欠部
【図１】
0004221905.tif 000002
【図２】
0004221905.tif 000003
【図３】
0004221905.tif 000004
【図４】
0004221905.tif 000005
【図５】
0004221905.tif 000006
【図６】
0004221905.tif 000007
【図７】
0004221905.tif 000008
【図８】
0004221905.tif 000009